(57)【要約】【課題】簡単な調整により種々の大きさの板状物を梱包できるようにするとともに、コンテナ等の収容空間の高さに合わせて無駄なく自由に積み重ねられ、輸送コスト，保管スペースを節減できるようにする。【解決手段】上面と下面に互いに嵌合し得る凸部１２と凹部１３が形成され多段積みを可能とした角部用プラスチック成形体１ａ〜１ｄと、剛性なる直線棒状の連結杆３ａ〜３ｄとからなり、該連結杆の端部を該角部用プラスチック成形体に固着することにより４本の連結杆３ａ〜３ｄを該角部用プラスチック成形体を介して連結することで構造枠体７が形成され、該連結杆上に矩形状の板状物８の周縁部が載置されるようにする。【選択図】図６
2006021800.tif 000002
【特許請求の範囲】
【請求項１】
上面と下面に互いに嵌合し得る凸部と凹部が形成され多段積みを可能とした角部用プラスチック成形体と、剛性なる直線棒状の連結杆とからなり、該連結杆の端部を該角部用プラスチック成形体に固着することにより４本の連結杆を該角部用プラスチック成形体を介して連結することで構造枠体が形成され、該連結杆上に矩形状の板状物の周縁部が載置されるようにしたことを特徴とする板状物梱包用具。
【請求項２】
連結杆の中間部に固着される中間部用プラスチック成形体を備え、該中間部用プラスチック成形体は上面と下面に互いに嵌合し得る凸部と凹部が形成され、構造枠体が多段積みされるようにした請求項１に記載の板状物梱包用具。
【請求項３】
連結杆は、横断面Ｌ形の金属製型材からなるものであり、そのＬ形の内側が内向きとなるように角部用プラスチック成形体に固着され、該連結杆の内側に緩衝材を介在させて板状物の周縁部を載置したことを特徴とする請求項１または２に記載の板状物梱包用具。
【請求項４】
角部用プラスチック成形体は、平面視Ｌ形の支柱部と該支柱部の下部より内方に水平に張り出した底板部が形成され、該底板部上に連結杆の端部を乗架して固着したことを特徴とする請求項１〜３のいずれかに記載の板状物梱包用具。
【請求項５】
中間部用プラスチック成形体は、平面視Ｉ形の支柱部と該支柱部の下部より内方に水平に張り出した底板部が形成され、該底板部上に連結杆の中間部を乗架して固着したことを特徴とする請求項２〜４のいずれかに記載の板状物梱包用具。
【請求項６】
角部用プラスチック成形体の底板部の内端縁に段状に低下した支持面を延設し、該支持面上に保護板を乗架し得るようにした請求項１〜５のいずれかに記載の板状物梱包用具。
【請求項７】
中間部用プラスチック成形体の底板部の内端縁に段状に低下した支持面を延設し、該支持面上に保護板を乗架し得るようにした請求項２〜６のいずれかに記載の板状物梱包用具。
【請求項８】
角部用プラスチック成形体の支柱部の内側縁に板状物の角部より突出する突片が載置され該突片を係止し得る係止台部を一体に形成したことを特徴とする請求項４〜７のいずれかに記載の板状物梱包用具。
【発明の詳細な説明】
【技術分野】
【０００１】
本発明は、プラズマディスプレイパネル，液晶ディスプレイパネル等のフラットパネル、或いは板ガラス等の矩形状の板状物を梱包する板状物梱包用具に関するものである。
【背景技術】
【０００２】
薄型大画面テレビに使用されるプラズマディスプレイパネル，液晶ディスプレイパネル等の大型の板状物は、従来では概して板ガラス等と同様にパレット上に起立状態に置かれ（以下、「縦置き」という）、保管，輸送されていた。即ち、大型板状物の場合、水平置き（以下、「横置き」という）すると自重で撓みが生じ、精細な部分を破損させるおそれがあるので、縦置きすることにより保管，輸送するのが一般的であった。
また、下記特許文献１に示された板状物搬送容器においても、容器内壁面に仕切を設け該仕切に保持させることにより複数枚の板状物を該容器内に縦置き状として収容するものであった。
【特許文献１】特開平１１−７９２７６号公報
【発明の開示】
【発明が解決しようとする課題】
【０００３】
ところで、上記のような利点があるものの縦置きは、高さが板状物の高さにより決まるために、輸送用コンテナ内やトラックのキャビネット内に自由に段積みすることができないものであった。このため、輸送コストが高くなり、或いは保管スペースを要するという問題がある。
また、特許文献１に記載された板状物搬送容器では、板状物の大きさが変わると、容器内空間が無駄になったり、或いは大きい板状物が収容できないという問題が生じた。
本発明はこのような問題点を解消し得る板状物梱包用具を提供しようとするものである。
【課題を解決するための手段】
【０００４】
そのために請求項１に記載の板状物梱包用具の発明は、上面と下面に互いに嵌合し得る凸部と凹部が形成され多段積みを可能とした角部用プラスチック成形体と、剛性なる直線棒状の連結杆とからなり、該連結杆の端部を該角部用プラスチック成形体に固着することにより４本の連結杆を該角部用プラスチック成形体を介して連結することで構造枠体が形成され、該連結杆上に矩形状の板状物の周縁部が載置されるようにしたことを特徴とする。
このため、連結杆の長さを適宜設定するだけで、種々の大きさの板状物を梱包できるようになる。また、構造枠体を横ズレすることなく多段に積み重ねられるので、コンテナ等の収容空間の高さに合わせて無駄なく自由に積み重ねられ、輸送コスト，保管スペースが節減される。
【０００５】
また請求項２に記載の発明は上記板状物梱包用具において、連結杆の中間部に固着される中間部用プラスチック成形体を備え、該中間部用プラスチック成形体は上面と下面に互いに嵌合し得る凸部と凹部が形成され多段積みを可能としていることを特徴とする。
このため、一層大きな板状物を梱包できるようになる。
【０００６】
また請求項３に記載の発明は上記板状物梱包用具において、連結杆は、横断面Ｌ形の金属製型材からなるものであり、そのＬ形の内側が内向きとなるように角部用プラスチック成形体に固着され、該連結杆の内側に緩衝材を介在させて板状物の周縁部を載置したことを特徴とする。
このため、剛性ある構造枠体が組み立てられるとともに、板状物を輸送中の振動，衝撃等から保護できる。
【０００７】
また請求項４に記載の発明は、上記板状物梱包用具において、角部用プラスチック成形体は、平面視Ｌ形の支柱部と該支柱部の下部より内方に水平に張り出した底板部が形成され、該底板部上に連結杆の端部を乗架して固着したことを特徴とする。
このため、剛性ある構造枠体が組み立てられるとともに、安定した積み重ねが可能となる。
【０００８】
また請求項５に記載の発明は、上記板状物梱包用具において、中間部用プラスチック成形体は、平面視Ｉ形の支柱部と該支柱部の下部より内方に水平に張り出した底板部が形成され、該底板部上に連結杆の中間部を乗架して固着したことを特徴とする。
このため、剛性ある構造枠体が組み立てられるとともに、安定した積み重ねが可能となる。
【０００９】
また請求項６に記載の発明は、上記板状物梱包用具において、角部用プラスチック成形体の底板部の内端縁に段状に低下した支持面を延設し、該支持面上に保護板を乗架し得るようにしたことを特徴とする。
このため、板状物が撓んでも保護板と接触し支持されることで、該板状物を破損から保護することができる。
【００１０】
また請求項７に記載の発明は、上記板状物梱包用具において、中間部用プラスチック成形体の底板部の内端縁に段状に低下した支持面を延設し、該支持面上に保護板を乗架し得るようにしたことを特徴とする。
このため、板状物が撓んでも保護板と接触し支持されることで、該板状物を破損から保護することができる。
【００１１】
また請求項８に記載の発明は、上記板状物梱包用具において、角部用プラスチック成形体の支柱部の内側縁に板状物の角部より突出する突片が載置され該突片を係止し得る係止台部を一体に形成したことを特徴とする。
このため、係止台部に板状物の突片を載置し係止しておくことにより、輸送中等における該板状物のズレを防止できる。
【発明の効果】
【００１２】
連結杆の長さを変えるだけで種々の大きさの板状物を梱包できるようになる。また、横置き故にこの構造枠体をコンテナ等の収容空間の高さに合わせて無駄なく自由に積み重ねられ、輸送コスト，保管スペースを節減できる。
【実施例１】
【００１３】
次に本発明の実施例を図面に従い説明する。図１は本発明に係る板状物梱包用具における構造枠体の分解斜視図である。この実施例に示した構造枠体は、４個の角部用プラスチック成形体１ａ〜１ｄと、２個の中間部用プラスチック成形体２ａ，２ｂと、２本の長連結杆３ａ，３ｂと、２本の短連結杆３ｃ，３ｄと、２本の長縁材５ａ，５ｂと、２本の短縁材５ｃ，５ｄと、１本の底面保持材５ｆとからなる。
【００１４】
角部用プラスチック成形体１ａ〜１ｄは、図２，図３に夫々視点を変えて斜視図を示したように、平面視Ｌ形の支柱部１０と該支柱部の下部より内方に水平に張り出した底板部１１が形成され、該支柱部の上面と下面には互いに嵌合し得る凸部１２と凹部１３が形成され、底板部１１の内端縁には段状に低下した支持面１４が延設され、支柱部１０の内側縁には係止台部１５が形成され、該係止台部に止孔１６を形成してなる。なお、１７は底板部１１の下面に形成された手掛用の切込である。また、支柱部１０は補強用リブ１８を升目状に形成することにより中空状に形成されたものである。
【００１５】
また、中間部用プラスチック成形体２ａ，２ｂは、図４，図５に夫々視点を変えて斜視図を示したように、平面視Ｉ形の支柱部２０と該支柱部の下部より内方に水平に張り出した底板部２１が形成され、該支柱部の上面と下面には互いに嵌合し得る凸部２２と凹部２３が形成され、底板部２１の内端縁には段状に低下した支持面２４が延設されている。なお、支柱部２０は補強用リブ２５を升目状に形成することにより中空状に形成されたものである。なお、上記角部用プラスチック成形体１ａ〜１ｄおよび中間部用プラスチック成形体２ａ，２ｂは、帯電防止のために導電性プラスチックにより成形し得る。
【００１６】
一方、上記連結杆３ａ〜３ｄは、いずれも横断面Ｌ形の金属製型材により剛性なる直線棒状に形成されたもので、その切断長によって長連結杆３ａ，３ｂと短連結杆３ｃ，３ｄが形成される。また、上記縁材５ａ〜５ｄは、連結杆３ａ〜３ｄよりも細幅にして横断面Ｌ形の金属製型材により剛性なる直線棒状に形成されたもので、その切断長によって長縁材５ａ，５ｂと短縁材５ｃ，５ｄとが形成される。また、底面保持材５ｆは定幅帯状の剛性金属部材を長連結杆３ａ，３ｂと同長に切断してなるものである。
【００１７】
そして、四隅に角部用プラスチック成形体１ａ〜１ｄを配置し、連結杆３ａ〜３ｄをそのＬ形の内側が内向きとなるようにし端部を該各角部用プラスチック成形体１ａ〜１ｄの底板部１１上に乗架し、図６に示したようにビス７０を貫挿して固着することにより該各連結杆を矩形状に連結し、該長連結杆３ａ，３ｂの中間部には中間部用プラスチック成形体２ａ，２ｂを配置し、該底板部２１上にビス７０をもって該長連結杆３ａ，３ｂを固着する。また、縁材５ａ〜５ｄを同様にＬ形の内側が内向きとなるように各角部用プラスチック成形体の支持面１４上および両中間部用プラスチック成形体の支持面２４上に乗架し、ビス７０を貫挿して固着することにより該各縁材を矩形状に連結する。これによって頑強な矩形状の構造枠体７が組み立てられる。
【００１８】
図６はこうして組み立てられた構造枠体７と、該構造枠体にセットされる４本の帯状緩衝部材４ａ〜４ｄと、１枚の保護板６とを分解状態にて示す。該帯状緩衝部材４ａ〜４ｄは夫々該各連結杆と同長に切断されたものであり、また、保護板６は低発泡プラスチックにより矩形状に成形された弾性板材からなるもので、該保護板６を前記縁材５ａ〜５ｄ上に載置することにより、該縁材５ａ〜５ｄによって該保護板６が囲繞され、該保護板６が該枠体内底部に水平に支持されるようにする。なお、底面保持材５ｆは両端部を縁材５ｃ，５ｄの下面にビス止することにより該保護板６の下側に横断状に位置し、該保護板６の垂れ下がりを防ぐ。
【００１９】
また、図７に示したように、長連結杆３ａ，３ｂの内側に帯状緩衝部材４ａ，４ｂを配置し、短連結杆３ｃ，３ｄの内側に帯状緩衝部材４ｃ，４ｄを配置し、該帯状緩衝部材４ａ〜４ｄ上に矩形状の板状物８の周縁部（プラズマディスプレイパネルではガラス面の周縁部）を載置することにより、該板状物８を水平に支持する。なお、このプラズマディスプレイパネルの場合、この板状物の角部の上部より突片８０が外方に水平に突出しているので、該突片が前記係止台部１５上に載置され、該突片に形成された透孔８１と前記止孔１６に止ピン８２を貫挿することにより、この板状物８が不動に固定される。
【００２０】
このように、この板状物梱包用具では板状物８が水平に支持され、その上に同様に板状物８が支持された板状物梱包用具を互いの角部用プラスチック成形体と中間部用プラスチック成形体の前記凸部１２と凹部１３および凸部２２と凹部２３を嵌合することにより、下段の板状物に上段の荷重が掛かることなく、図８，図９に示したように、安定した状態で多段に積み重ねることができる。このため保管時および輸送時の専有スペースが軽減され、物流コストが大幅に削減できる。
【００２１】
また、保管，輸送に際しては、図１０に示したように、底パレット９上に緩衝用シート（厚さ５０ｍｍ程度）９０を敷き、その上にこの板状物梱包用具を所要段数積み重ね、紙またはプラスチック製の段ボール等を資材として成形された矩形筒状の外装箱９１を被せることにより周囲を包囲し、その上端開口を天パレット９２を被せることにより蓋する。このように全面を包装することで内部に塵，埃等を侵入させないようにできる。
【００２２】
なお、上記保護板６はフラットパネルのガラス面が撓んでも該保護板６によって支持されるように必要に応じて設けられる。このためこの板状物梱包用具により大型のディスプレイパネルでも横置き（水平状態）にて支障なく保管，輸送することができる。
【００２３】
このように構成される板状物梱包用具は、梱包する板状物のサイズ変更に対して、連結杆３ａ〜３ｄの切断長を変えることにより簡単に対処できる。また、中間部用プラスチック成形体は小型の板状物では使用しなくてもよく、また大型の板状物ではさらに使用個数を増やすことによって支持を一層安定化することができる。従って本発明では、角部用プラスチック成形体や中間部用プラスチック成形体を予め用意するだけで、小型から大型の板状物まで梱包することができ、コストが節減される。
【００２４】
一方、図１１，図１２は、プラズマディスプレイ等のフラットパネル専用の板状物搬送容器を示すもので、プラスチック製の該容器ｈは、内周面下縁に突条ａが一体に形成され、該突条の内周面に適宜ピッチにて角柱状の支持部ｂが一体に形成され、フラットパネルｃの外周縁に同ピッチにて突出している取付片ｄを該支持部ｂ上に載置することにより、該フラットパネルｃの荷重が該支持部ｂによって支持されるようにしている。これにより該フラットパネルｃの下面（ガラス面）ｅを該容器の底面ｆから離間させて収容することができ、該下面ｅを保護することができる。なお、ｇは該底面ｆ上に必要に応じて配置される発泡プラスチック製の弾性材からなる保護板である。このような板状物搬送容器においても、塵，埃の侵入が防止されるとともに、所要数に段積みされ、保管，輸送のコストが節減される。この板状物搬送容器は、プラスチックにより一体に成形されるものであるので、一定の大きさの板状物しか収容できない不都合があるものの、段積みすることにより塵，埃の侵入が防止されるとともにスペースが有効活用できる。
【図面の簡単な説明】
【００２５】
【図１】本発明の実施例を示す板状物梱包用具における構造枠体の分解斜視図。
【図２】本発明の実施例である角部用プラスチック成形体の斜視図。
【図３】本発明の実施例である角部用プラスチック成形体を視点を変えて見た斜視図。
【図４】本発明の実施例である中間部用プラスチック成形体の斜視図。
【図５】本発明の実施例である中間部用プラスチック成形体を視点を変えて見た斜視図。
【図６】本発明の実施例を示す板状物梱包用具の分解斜視図。
【図７】本発明の実施例を示す板状物梱包用具と板状物の斜視図。
【図８】本発明の実施例を示す板状物梱包用具をパレット上に多段に積み重ねたときの斜視図。
【図９】図８の部分拡大縦断面図。
【図１０】本発明の実施例を示す板状物梱包用具を外装箱によって包囲する際の斜視図。
【図１１】本発明と関連ある板状物搬送容器の斜視図。
【図１２】図１１に示した板状物搬送容器の使用状態を示す縦断面図。
【符号の説明】
【００２６】
１ａ〜１ｄ    角部用プラスチック成形体
２ａ，２ｂ    中間部用プラスチック成形体
３ａ，３ｂ    長連結杆
３ｃ，３ｄ    短連結杆
４ａ〜４ｄ    帯状緩衝部材
５ａ〜５ｄ    縁材
５ｆ          底面保持材
６            保護板
７            構造枠体
８            板状物
９            底パレット
１０          支柱部
１１          底板部
１２          凸部
１３          凹部
１４          支持面
１５          係止台部
１６          止孔
２０          支柱部
２１          底板部
２２          凸部
２３          凹部
２４          支持面
７０          ビス
８０          突片
８１          透孔
８２          止ピン
９０          緩衝用シート
９１          外装箱
９２          天パレット
【図１】
2006021800.tif 000003
【図２】
2006021800.tif 000004
【図３】
2006021800.tif 000005
【図４】
2006021800.tif 000006
【図５】
2006021800.tif 000007
【図６】
2006021800.tif 000008
【図７】
2006021800.tif 000009
【図８】
2006021800.tif 000010
【図９】
2006021800.tif 000011
【図１０】
2006021800.tif 000012
【図１１】
2006021800.tif 000013
【図１２】
2006021800.tif 000014